(57)【特許請求の範囲】
【請求項１】
網と、網から延びる柄とを有する玉網であって、前記柄は、
径が異なる管状の複数の節が長手方向に継合されて成り、前記各節を略同心的に径方向に重合配置して収納可能な第１の振り出し式柄部と、
径が異なる管状の複数の節が長手方向に継合されて成り、前記各節を略同心的に径方向に重合配置して収納可能であるとともに、前記第１の振り出し式柄部に長手方向で継合されて前記第１の振り出し式柄部を内部に略同心的に重合配置して収納できる第２の振り出し式柄部と、
前記第１の振り出し式柄部を収納状態に保持するための第１の保持部と、
前記第２の振り出し式柄部を収納状態に保持するための第２の保持部と、
を備え、
前記第１の保持部は、前記第２の振り出し式柄部の最前端の節の外周に嵌着され、前記網のフレームに設けられる接続固定部に着脱自在に接続可能な接続体を有し、
前記第２の保持部は、前記接続体に着脱自在に接続可能な前記第２の振り出し式柄部の最後端の節によって形成される、
ことを特徴とする玉網。
【請求項２】
前記接続体が前記接続固定部に螺合されることを特徴とする請求項１に記載の玉網。
【請求項３】
前記第２の保持部を形成する前記第２の振り出し式柄部の最後端の節が前記接続体に対して圧入接続されることを特徴とする請求項１又は２に記載の玉網。
【請求項４】
前記第１の振り出し式柄部を前記網のフレームに対して着脱自在に接続するための着脱部材を有し、この着脱部材が前記接続固定部を前記網のフレームに対して着脱自在に接続することを特徴とする請求項１から３のいずれか一項に記載の玉網。
【請求項５】
前記第１の振り出し式柄部の完全振り出し状態の長手方向寸法が前記第２の振り出し式柄部の完全振り出し状態の長手方向寸法よりも長いことを特徴とする請求項１から４のいずれか一項に記載の玉網。
【発明の詳細な説明】
【技術分野】
【０００１】
本発明は、例えば、磯釣りや防波堤釣り等において、魚を取り込む際に用いられる玉網に関し、特に、柄の長さを切り替え可能な玉網に関する。
【背景技術】
【０００２】
一般的に、磯釣り等で使用される玉網は、高所から魚を取り込む場合が多いため、持ち運び性を考慮して柄の部分（玉の柄）が振出し式に構成されている（例えば、特許文献１及び特許文献２参照）。このような玉網を例えば磯釣りや高い防波堤釣り等で使用する場合、釣人は、柄の部分を収容状態にして傍らに置いておき、魚が掛かった場合、片方の手で釣竿を操作しつつ魚を手前に引き寄せ、もう片方の手で収容状態にある柄の部分を握持して、魚に向けて収容状態にある柄を送り出す操作（海面に向けて突き出す操作）を行なう。そして、魚を網部分に取り込んだ後は、柄の各節を収容しながら網部を手元に引き寄せるか、或いは、各節を収容することなく、柄全体を後方側に送り出すようにして網部を手元に引き寄せて魚を獲得している。
【先行技術文献】
【特許文献】
【０００３】
【特許文献１】実開平４−５２４６４号公報
【特許文献２】特開２００３−２８９７５５号公報
【発明の概要】
【発明が解決しようとする課題】
【０００４】
ところで、このような振り出し式の玉網の柄は、伸長状態ではかなり長くなることから、例えば、ボート釣りや低い磯場或いは高さが低い防波堤などで使用する場合には不必要に長くなり過ぎることがある。そのため、釣人は、例えば、釣りの状況に応じて長さが異なる複数種類の玉網を用意して選択的に使用しなければならない。
【０００５】
本発明は、上記した事情に着目してなされたものであり、その目的とするところは、釣り場に応じて長さ調整を容易に行なえる玉網を提供することにある。
【課題を解決するための手段】
【０００６】
前記課題を解決するために、本発明は、網と、網から延びる柄とを有する玉網であって、前記柄は、径が異なる管状の複数の節が長手方向に継合されて成り、前記各節を略同心的に径方向に重合配置して収納可能な第１の振り出し式柄部と、径が異なる管状の複数の節が長手方向に継合されて成り、前記各節を略同心的に径方向に重合配置して収納可能であるとともに、前記第１の振り出し式柄部に長手方向で継合されて前記第１の振り出し式柄部を内部に略同心的に重合配置して収納できる第２の振り出し式柄部と、前記第１の振り出し式柄部を収納状態に保持するための第１の保持部と、前記第２の振り出し式柄部を収納状態に保持するための第２の保持部とを備え、前記第１の保持部は、前記第２の振り出し式柄部の最前端の節の外周に嵌着され、前記網のフレームに設けられる接続固定部に着脱自在に接続可能な接続体を有し、前記第２の保持部は、前記接続体に着脱自在に接続可能な前記第２の振り出し式柄部の最後端の節によって形成されることを特徴とする。
【０００７】
上記構成によれば、第１の保持部及び第２の保持部を用いることにより、２つの第１及び第２の振り出し式柄部を選択的に或いは全体的に振り出し或いは収納して柄の長さを少なくとも４段階で調整することができる。例えば、第１の振り出し式柄部の完全振り出し状態の長手方向寸法を第２の振り出し式柄部の完全振り出し状態の長手方向寸法よりも長く設定した場合、ボート釣りや低い磯場或いは高さが低い防波堤など、足場から水面までの距離が近い釣り場状況では、第１の保持部を用いて第１の振り出し式柄部のみを収納状態に保持して或いは第１及び第２の保持部を用いて第１及び第２の振り出し式柄部の両方を収納状態に保持して、玉網を短い状態で使用することができ、一方、足場から水面までの距離が遠い釣り場状況では、第２の保持部による保持状態を保ったまま第１の保持部の保持状態を解除して第１の振り出し式柄部のみを完全に振り出して或いは第１及び第２の保持部の両方による保持状態を解除して第１及び第２の振り出し式柄部の両方を完全に振り出して、玉網を長い状態で使用することができる。すなわち、釣り場に応じて長さ調整を容易且つ多段階に行なえる。
【発明の効果】
【０００８】
本発明によれば、釣り場に応じて長さ調整を容易に行なえる玉網を提供することができる。
【図面の簡単な説明】
【０００９】
【図１】本発明の一実施形態に係る玉網の柄の長さを段階的に切り替えた状態を示す側面図であり、（ａ）は、第１及び第２の保持部の両方による保持状態を解除して第１及び第２の振り出し式柄部の両方を完全に振り出した状態、（ｂ）は、第１及び第２の保持部を用いて第１及び第２の振り出し式柄部の両方を収納状態に保持した状態、（ｃ）は、第１の保持部を用いて第１の振り出し式柄部のみを収納状態に保持した状態をそれぞれ示す。
【図２】第２の振り出し式柄部の最後端の節と尻栓との接続形態を示す一部に断面を有する分解側面図である。
【図３】網のフレームと接続固定部との接続形態を示す一部に断面を有する分解側面図である。
【図４】第１の振り出し式柄部の最前端の節と網のフレームとの接続形態を示す一部に断面を有する分解側面図である。
【図５】第１及び第２の保持部の両方による保持状態を解除して第１及び第２の振り出し式柄部の両方を完全に振り出した状態を示す側断面図である。
【図６】第１及び第２の保持部を用いて第１及び第２の振り出し式柄部の両方を収納状態に保持した状態を示す側断面図である。
【発明を実施するための形態】
【００１０】
以下、本発明に係る玉網の一実施形態について説明する。なお、本明細書中で使用される「前」「後」なる用語は、網側が「前」、その反対側（柄の手元側）が「後」として規定され、その方向が図１，５，６に示される。
【００１１】
図１に示されるように、本実施形態の玉網１は、玉の柄４と、玉の柄４の先端に装着される網２とを備えて構成される。この場合、柄４は、網２の円形フレーム３の取り付け部３ａ（図５参照）に対して後述するように着脱自在に接続されるようになっている。
【００１２】
柄４は、複数の管状の節を振出し式に構成して成る。具体的には、柄４は、径が異なる管状の複数（本実施形態では７本）の節１０，１１，１２，１３，１４，１５，１６が長手方向に継合されて成り、各節１０〜１６を略同心的に径方向に重合配置して収納可能（図６参照）な第１の振り出し式柄部４Ａと、径が異なる管状の複数（本実施形態では３本）の節１７，１８，１９が長手方向に継合されて成り、各節１７，１８，１９を略同心的に径方向に重合配置して収納可能（図６参照）な第２の振り出し式柄部４Ｂとを有する。この場合、第２の振り出し式柄部４Ｂは、その最前端の節１７が第１の振り出し式柄部４Ａの最後端の節１６の外周に嵌合状態で振り出し可能に継合することにより、第１の振り出し式柄部４Ａに長手方向で継合されて第１の振り出し式柄部４Ａを内部に略同心的に重合配置して収納できる（図６参照）。なお、本実施形態では、図１及び図５に示されるように、第１の振り出し式柄部４Ａの完全振り出し状態の長手方向寸法が第２の振り出し式柄部４Ｂの完全振り出し状態の長手方向寸法よりも長くなっている。
【００１３】
また、言うまでもなく、このような第１の振り出し式柄部４Ａと第２の振り出し式柄部４Ｂとが一体に連続して継ぎ合わされた重合構造において、各節１０〜１９は、前側から後側へ向かって順次にその内外径が段階的に大きくなる。また、これらの各節１０〜１９は、例えば、強化繊維に合成樹脂を含浸したシート（プリプレグシート）を芯金に巻回し、合成樹脂を熱硬化することで形成される。
【００１４】
また、本実施形態の玉網１は、第１の振り出し式柄部４Ａを収納状態に保持するための第１の保持手段を有する。具体的に、この第１の保持手段は、柄４に設けられる第１の保持部３０を有し、特に本実施形態において、第１の保持部３０は、図５に明確に示されるように、第２の振り出し式柄部４Ｂの最前端の節１７の前端側外周に嵌着される接続体３０により形成される。この接続体３０は、第１の振り出し式柄部４Ａを収納状態に保持するために、網２のフレーム３の取り付け部３ａに設けられる接続固定部６０に着脱自在に接続できるようになっている。具体的には、接続体３０は、その前端側外周面に雄ネジ３０ａを有し、この雄ネジ３０ａが接続固定部６０の凹陥部６２の内周面に形成された雌ネジ６０ｂ（図３〜図５参照）と螺合する（図６参照）ことにより、第１の振り出し式柄部４Ａを収納状態に保持する。
【００１５】
また、本実施形態の玉網１は、第２の振り出し式柄部４Ｂを収納状態に保持するための第２の保持手段を有する。具体的に、この第２の保持手段は、柄４に設けられる第２の保持部４０を有し、特に本実施形態において、第２の保持部４０は、図５及び図６に明確に示されるように、第２の振り出し式柄部４Ｂの最後端の節１９の前端側によって形成される。この第２の保持部４０（節１９の前端側）は、第２の振り出し式柄部４Ｂを収納状態に保持するために、接続体３０に着脱自在に接続できるようになっている。具体的には、接続体３０はその後端側が弾性リング３０ｂとして形成されており、この弾性リング３０ｂが弾性変形して節１９の前端側の内周面に圧入嵌合されることにより、節１９が接続体３０に接続保持されて、第２の振り出し式柄部４Ｂが収納状態に保持されるようになっている。
【００１６】
また、本実施形態の玉網１は、柄４（第１の振り出し式柄部４Ａの先端）を網２のフレーム３に対して着脱できるようになっている。具体的に、本実施形態では、そのような着脱を可能にする着脱部材としてネジ部材５０が設けられ、このネジ部材５０は、図３及び図４に示されるように、フレーム３の内側から取り付け部３ａの貫通穴に通された後、接続固定部６０をフレーム３に対して取り付けるべく接続固定部６０の通孔またはネジ穴６０ａに挿通され或いは捩じ込まれて接続固定部６０の凹陥部６２内へ突出し、その雄ネジ５０ａが第１の振り出し式柄部４Ａの最前端の節１０の前端部又は節１０の前端に設けられる接続部材１０Ａの内周面に形成される雌ネジ１０ａに螺合されるようになっている。すなわち、ネジ部材５０は、第１の振り出し式柄部４Ａを網２のフレーム３に対して着脱自在に接続すると同時に、接続固定部６０をフレーム３に対して着脱自在に接続できるようになっている。
【００１７】
また、本実施形態の玉網１は、節１０〜１９の全体が手元側で抜け落ちることを防止するべく、図２及び図５に示されるように、第２の振り出し式柄部４Ａの最後端の節１９の基端に尻栓２０が取り付けられて成る。この尻栓２０は、弾性ゴム２９を有するキャップ状の蓋体として形成され、その内周面に形成された雌ネジ２０ａが節１９の後端に取着された接続具１９Ａの外周面に形成される雄ネジ１９ａと螺合することにより節１９に対して着脱自在に取り付けられる。なお、尻栓２０の弾性ゴム２９は、例えば、天然ゴム、エラストマー、ハイカコルク、ＥＶＡ等によって形成される。
【００１８】
また、本実施形態の玉網１は、第１の振り出し式柄部４Ａの節１０〜１６の全体が手元側で（或いは、第２の振り出し式柄部４Ｂの内側に）抜け落ちることを防止するべく、図２及び図５に示されるように、第２の振り出し式柄部４Ａの最前端の節１７の基端に尻栓５０が取り付けられて成る。この尻栓５０は、前述した尻栓２０と同様の構造を成してもよく、節１７の内周面に螺合される。
【００１９】
以上のように構成される本実施形態の玉網１では、第１の保持部３０及び第２の保持部４０を用いることにより、２つの第１及び第２の振り出し式柄部４Ａ，４Ｂを選択的に或いは全体的に振り出し或いは収納して柄４の長さを４段階で調整することができる。
【００２０】
例えば、ボート釣りや低い磯場或いは高さが低い防波堤など、足場から水面までの距離が近い釣り場状況では、第１の保持部３０（接続体３０の雄ネジ３０ａ）を接続固定部６０に螺合させることにより第１の振り出し式柄部４Ａのみを収納状態（図１の（ｃ）の状態）に保持して、或いは、第１の保持部３０（雄ネジ３０ａ）を接続固定部６０に螺合させるとともに第２の保持部４０（節１９の前端側）を第１の保持部３０（弾性リング３０ｂ）に圧入することにより第１及び第２の振り出し式柄部４Ａ，４Ｂの両方を収納状態（図１の（ｂ）の状態）に保持して、玉網１を短い状態で使用することができる（例えば、図１の（ｂ）の状態で４８ｃｍ（網２を除く柄４のみの長さ）、図１の（ｃ）の状態で１１０ｃｍ（網２を除く柄４のみの長さ））。
【００２１】
一方、足場から水面までの距離が遠い釣り場状況では、第１及び第２の保持部３０，４０の両方による保持状態を解除することにより、すなわち、第１の保持部３０（雄ネジ３０ａ）を接続固定部６０から取り外すとともに第２の保持部４０（節１９の前端側）を第１の保持部３０（弾性リング３０ｂ）から抜き取ることにより、第１及び第２の振り出し式柄部４Ａ，４Ｂの両方を完全に振り出して（図１の（ａ）の状態）、或いは、第２の保持部４０による保持状態を保ったまま第１の保持部３０の保持状態を解除することにより、すなわち、第２の保持部４０（節１９の前端側）を第１の保持部３０（弾性リング３０ｂ）に圧入させたまま第１の保持部３０（雄ネジ３０ａ）を接続固定部６０から取り外すことにより、第１の振り出し式柄部４Ａのみを完全に振り出して（図示せず）、玉網１を長い状態で使用することができる（例えば、図１の（ａ）の状態で４００ｃｍ（網２を除く柄４のみの長さ））。
【００２２】
すなわち、本実施形態の玉網１によれば、釣り場に応じて長さ調整を容易且つ多段階に行なうことができる。
【００２３】
以上、本発明の実施形態を説明したが、本発明は、その要旨を逸脱しない範囲で種々変形して実施できる。例えば、前述した実施形態では、振り出し式柄部が２つであったが、振り出し式柄部の数は３つ以上であってもよく、また、振り出し式柄部の数に応じた数の保持部（振り出し式柄部を収納状態に保持する保持部）を設けることができる。また、第１の保持部３０と接続固定ブレード６０との接続形態、及び、第２の保持部４０と第１の保持部３０との接続形態も前述した実施形態に限定されず、種々変形して実施できる。例えば、第１の保持部３０と接続固定ブレード６０との接続形態においては、螺合以外の接続形態（圧入等）も考えられる。また、第２の保持部４０と第１の保持部３０との接続形態も圧入以外に例えば螺合等の接続形態が考えられる。例えば、第２の保持部４０と第１の保持部３０との螺合形態に関しては、並行溝を長く切っておき、節１９の内径が大きくなる部分まで第２の保持部４０と第１の保持部３０とを相対的に軸方向に移動させられれば、節１９を抜くことが可能となる。
【符号の説明】
【００２４】
１  玉網
２  網
４  柄
４Ａ  第１の振り出し式柄部
４Ｂ  第２の振り出し式柄部
１０〜１９  節
３０  第１の保持部（接続体）
４０  第２の保持部
５０  ネジ部材（着脱部材）
６０  接続固定部
【図１】
0006568004.tif 000002
【図２】
0006568004.tif 000003
【図３】
0006568004.tif 000004
【図４】
0006568004.tif 000005
【図５】
0006568004.tif 000006
【図６】
0006568004.tif 000007